(57)【要約】【課題】そのコストアップや複雑化、大型化等を防止することができると共に、画像やデータ等を投影するスクリーンの位置や角度に合わせて投影角度を可変調整することができる携帯通信端末装置を提供する。【解決手段】無線により公衆回線と接続して通信することができる携帯通信端末装置３０であって、一方の面から他方の面に光を透過することができ、回転軸３４を介して装置本体３０ａに回動可能に取付けられる光透過型液晶ディスプレー３２と、投影動作時と投影動作を行なわない通常時との間で光の強さを切換えることができる光源手段３６とを備え、投影動作時には光源手段３６が光の強さを切換えて、光源手段３６が出射した投影光を光透過型液晶ディスプレー３２の一方の面から他方の面に透過させることを特徴とする。【選択図】      図２
2004317871.tif 000002
【特許請求の範囲】
【請求項１】
無線により公衆回線と接続して通信することができる携帯通信端末装置であって、
一方の面から他方の面に光を透過することができ、回転軸を介して装置本体に回動可能に取付けられる光透過型液晶ディスプレーと、
投影動作時と投影動作を行なわない通常時との間で光の強さを切換えることができる光源手段とを備え、
投影動作時には、前記光源手段が光の強さを切換えて、光源手段が出射した投影光を前記光透過型液晶ディスプレーの一方の面から他方の面に透過させることを特徴とする携帯通信端末装置。
【請求項２】
投影動作時に前記液晶ディスプレーの表示画像を前記通常時の表示画像と裏返しの画像に反転して表示させる反転表示手段を設けた請求項１に記載の携帯通信端末装置。
【請求項３】
前記液晶ディスプレーを立ち上げるよう回動させると共に、前記光源手段が光の強さを切換えて、液晶ディスプレーに前記通常時の表示画像を表示させるようにした請求項１に記載の携帯通信端末装置。
【発明の詳細な説明】
【０００１】
【発明の属する技術分野】
本発明は、例えば携帯電話機のような携帯通信端末装置に関し、特に投影機としての機能をも有する携帯通信端末装置に関するものである。
【０００２】
【従来の技術】
従来の、投影機としての機能をも有する携帯通信端末装置としては、例えば図１３ないし図１５に示すような携帯電話機１０がある。同図に示すような携帯電話機１０は、投影機としての機能を用いない通常時は、図１３に示すように、投影レンズ１４は携帯電話機１０の上部に待機するよう配置されており、投影機としての機能を用いる投影動作時は、図１４に示すように、投影レンズ１４及びアーム１５を回転軸１６の周りに回動させ、投影レンズ１４を液晶表示画面１２に対向する位置で停止させて、携帯電話機１０を投影機として動作させることができる。
【０００３】
図１５に示すように、液晶表示画面１２の裏側には、光源ランプ１７と凹面反射鏡１８が設けられており、光源ランプ１７からの光は、液晶表示画面１２を裏側から照らすと共に、凹面反射鏡１８により反射されて液晶表示画面１２に集光され、明るく照らされた液晶表示画面１２を透過した光は投影レンズ１４を通って、壁面等のスクリーン２０に投影されるようになっている。
【０００４】
投影機としての機能をも有する携帯通信端末装置としては、この他にも、特許文献１に開示されているようなものがある。
【０００５】
【特許文献１】
特開２００１−３１３７０２号公報
【０００６】
【発明が解決しようとする課題】
しかしながら、前記図１３ないし図１５に示す従来の携帯電話機１０にあっては、投影レンズ１４やアーム１５が設けられているので、部品の増加によるコストアップや、構造の複雑化、大型化を招くという問題があった。また、投影機能を用いる場合の投影レンズ１４の位置や、光源ランプ１７の位置は、携帯電話機１０のケース本体に対して一定の位置に定められているので、画像やデータ等を投影する壁面等のスクリーン２０の位置や角度に合わせて、投影角度を可変調整することができないという問題があった。
【０００７】
そこで本発明は、上記問題点に鑑みて、そのコストアップや複雑化、大型化等を防止することができると共に、画像やデータ等を投影するスクリーンの位置や角度に合わせて投影角度を可変調整することができる携帯通信端末装置を提供することを課題とするものである。
【０００８】
【課題を解決するための手段】
上記課題を解決するために本発明は、
無線により公衆回線と接続して通信することができる携帯通信端末装置であって、
一方の面から他方の面に光を透過することができ、回転軸を介して装置本体に回動可能に取付けられる光透過型液晶ディスプレーと、
投影動作時と投影動作を行なわない通常時との間で光の強さを切換えることができる光源手段とを備え、
投影動作時には、前記光源手段が光の強さを切換えて、光源手段が出射した投影光を前記光透過型液晶ディスプレーの一方の面から他方の面に透過させることを特徴とするものである。
【０００９】
このような構成の携帯通信端末装置によれば、前記従来の携帯通信端末装置のように投影レンズやアームを必要としないので、部品増による装置のコストアップや複雑化、大型化等を防止することができる。
【００１０】
また、投影機としての機能を用いる場合は、光源手段の光の強さを切換えて行なうので、光源手段の強い光を光透過型液晶ディスプレーの一方の面から他方の面に透過させて、投影機としての機能を実現することができる。
【００１１】
【発明の実施の形態】
以下、本発明の実施の形態について、図面に基づいて具体的に説明する。
図１ないし図５は、本発明の第１の実施の形態に係る携帯電話機３０（携帯通信端末装置）について説明するために参照する図である。
【００１２】
図１は携帯電話機３０を横に寝かせた状態を示す図である。同図に示すように、携帯電話機３０の表面には、光透過型液晶ディスプレー３２が回転軸３４を介して回動可能に取付けられている。光透過型液晶ディスプレー３２は、一方の面から他方の面に光を透過することができる性質を有している。
【００１３】
光透過型液晶ディスプレー３２の裏側の本体ケース３０ａ内には、光源ランプ３６（光源手段）が配置されており、この光源ランプ３６は回転軸３８及びアーム４０を介して回動可能に取付けられている。光源ランプ３６は、携帯電話機３０が投影機としての機能を用いる場合は光度が強くなり、その機能を用いない通常時は光度が弱くなるよう、切換え制御することができるようになっている。光透過型液晶ディスプレー３２の先端部には、回転軸４２を介して回動可能に拡散板４４が取付けられている。
【００１４】
また携帯電話機３０には、図３に示すように、その投影機としての機能を用いる場合はＯＮさせ、通常時はＯＦＦさせて、ＯＮ、ＯＦＦに相当する信号を制御部４８に出力するような投影作動スイッチ４６が設けられている。また、投影機としての機能を用いる場合は、制御部４８により制御されて、光透過型液晶ディスプレー３２に表示される画像を、図４に示すように反転させる反転表示手段５０が設けられている（図３参照）。
【００１５】
このような携帯電話機３０は、投影機としての機能を用いない通常時は、光透過型液晶ディスプレー３２、光源ランプ３６及び拡散板４４が、例えば図１に示すように配置され、光透過型液晶ディスプレー３２には、反転表示手段５０により反転されない、通常の画像やデータ等が表示される。
【００１６】
光源ランプ３６は、制御部４８によりその光度が弱くなるように切換えられ、その光が光透過型液晶ディスプレー３２全体に拡がるように拡散板４４により拡散されて、バックライトとして光透過型液晶ディスプレー３２を照明するようになっている。
【００１７】
携帯電話機３０が投影機としての機能を用いる場合は、光透過型液晶ディスプレー３２、光源ランプ３６、及び拡散板４４を、各回転軸３４，３８，及び４２の周りに回動させて、図２に示すような状態に配置させる。光源ランプ３６はその光度が強くなるように制御部４８により切換えられると共に、光透過型液晶ディスプレー３２には反転表示手段５０により、通常時の表示画像を裏返しに反転した画像やデータ等が表示されるようになっている。
【００１８】
光源ランプ３６から強い光が出射されると、その光は光透過型液晶ディスプレー３２の画像やデータ等を壁面等のスクリーン２０に投影することができる。このとき拡散板４４は、図２に示すように、光透過型液晶ディスプレー３２から離れるように配置されて、光源ランプ３６からの光が光透過型液晶ディスプレー３２を照射するのを妨げないようになっている。
【００１９】
携帯電話機３０が投影機能を用いない通常時でも、光透過型液晶ディスプレー３２、光源ランプ３６及び拡散板４４を、図５に示すような状態に配置して、光透過型液晶ディスプレー３２に反転しない画像やデータ等を表示することができる。こうすることにより、両手がふさがっている等により、携帯電話機３０を寝かせて置いたときでも、液晶ディスプレー３２を立ち上げてその表示面を見易くすることができる。
【００２０】
このような携帯電話機３０によれば、前記従来の携帯通信端末装置のように投影レンズやアームを必要としないので、部品増による装置のコストアップや複雑化、大型化等を防止することができる。
【００２１】
また、携帯電話機３０が投影機としての機能を用いる場合は、液晶ディスプレー３２及び光源ランプ３６を立ち上げるよう回動させて行うと共に、それらの回動角度は任意に決めることができるため、画像やデータ等を投影するスクリーン２０の位置や角度に合わせて投影角度を自由に可変調整することができる。
【００２２】
本発明の第２の実施の形態に係る携帯電話機６０について、図６ないし図８を参照しながら説明する。本実施の形態においては、前記第１の実施の形態で用いた、回動するアーム４０の先端に設けられた光源ランプ３６の代りに、リトラクタブル方式の光源、すなわち回転軸５２を支点にして回動することにより、その発光部が携帯電話機６０の本体ケース６０ａから出たり入ったりできる光源ランプ５４を用いたものである。
【００２３】
図６に示すように、本体ケース６０ａの内部には、光透過型液晶ディスプレー３２側が凹状に湾曲した反射板５６が設けられており、通常時は本体ケース６０ａ内に入っている光源ランプ５４から出射された光が、反射板５６により反射された後、拡散板４４により拡散されて、光透過型液晶ディスプレー３２のバックライトとしてその照明を行う。
【００２４】
携帯電話機６０が投影機としての機能を用いる場合は、光源ランプ５４を回転軸５２の周りに回動させて、図７に示すように、その光源ランプ５４の発光部は本体ケース６０ａの上に飛び出た状態とすると共に、光透過型液晶ディスプレー３２を回転軸３４の周りに回動させて立ち上がった状態となって、前記第１の実施の形態と同様にスクリーン２０に画像やデータ等の投影動作を行うことができる。
【００２５】
携帯電話機６０が投影機能を用いない通常時でも、光透過型液晶ディスプレー３２、光源ランプ５４及び拡散板４４を、図８に示すような状態に配置して、光透過型液晶ディスプレー３２に反転しない画像やデータ等を表示することができる。こうすることにより、両手がふさがっている等により、携帯電話機６０を寝かせて置いたときでも、液晶ディスプレー３２を立ち上げてその表示面を見易くすることができる。
【００２６】
本発明の第３の実施の形態に係る携帯電話機７０について、図９ないし図１１を参照しながら説明する。本実施の形態においては、前記第１、第２の実施の形態で用いた光源ランプ３６、５４の代りに、ポップアップ方式の光源、すなわち、その発光部が携帯電話機７０の本体ケース７０ａから図中上下方向に出たり入ったりできるような光源ランプ７４を用いたものである。
【００２７】
図９に示すように、本体ケース７０ａの内部には光透過型液晶ディスプレー３２側が凹状に湾曲した反射板５６が設けられており、通常時は本体ケース７０ａ内に入っている光源ランプ７４から出射された光が反射板５６により反射され、拡散板４４により拡散されて、光透過型液晶ディスプレー３２のバックライトとしてその照明を行う。
【００２８】
携帯電話機７０が投影機としての機能を用いる場合は、光源ランプ７４を、図１０に示すように、その発光部が本体ケース７０ａの上に出た状態とすると共に、光透過型液晶ディスプレー３２を回転軸３４の周りに回動させて立ち上がった状態となって、前記第１、第２の実施の形態と同様に、スクリーン２０に画像やデータ等の投影動作を行うことができる。
【００２９】
携帯電話機７０が投影機能を用いない通常時でも、光透過型液晶ディスプレー３２、光源ランプ７４及び拡散板４４を、図１１に示すような状態に配置して、光透過型液晶ディスプレー３２に反転しない画像やデータ等を表示することができる。こうすることにより、両手がふさがっている等により、携帯電話機７０を寝かせて置いたときでも、液晶ディスプレー３２を立ち上げてその表示面を見易くすることができる。
【００３０】
なお、前記第１〜３の実施の形態においては、光源ランプの方が光透過型液晶ディスプレー３２よりアンテナ寄りとなるように配置されていたが、図１２に示す他の実施の形態のように、光透過型液晶ディスプレー３２の方が光源ランプよりアンテナ寄りとなるように配置してもよい。
【００３１】
また、前記第１〜３の実施の形態では、携帯電話機について説明したが、他の種類の多機能電話機、ＰＨＳ、或は通信機能を備えたパソコン及びＰＤＡ等の携帯通信端末装置についても、本発明を適用することができることはいうまでもない。
【００３２】
【発明の効果】
以上に説明したように、本発明によれば、前記従来の携帯通信端末装置のように投影レンズやアームを必要としないので、部品増による装置のコストアップや複雑化、大型化等を防止することができる。
【００３３】
また、投影機としての機能を用いる場合は、液晶ディスプレーを立ち上げるよう回動させると共に、光源手段の光の強さと、発光部の位置や向きを切換えて行なうので、液晶ディスプレーの回動角度は任意に決めることができるため、画像やデータ等を投影するスクリーンの位置や角度に合わせて投影角度を自由に可変調整することができる。
【図面の簡単な説明】
【図１】本発明の第１の実施の形態に係る携帯電話機３０を横に寝かした状態の側面図である。
【図２】携帯電話機３０を投影機として使用する場合を示す側面図である。
【図３】携帯電話機３０の要部の回路を示すブロック図である。
【図４】携帯電話機３０を投影機として使用する場合に光透過型液晶ディスプレー３２に表示される反転した文字の一例を示す概念図である。
【図５】携帯電話機３０を投影機として使用しない場合で光透過型液晶ディスプレー３２を起こしてその表示面を見る場合を示す側面図である。
【図６】本発明の第２の実施の形態に係る携帯電話機６０を横に寝かした状態の側面図である。
【図７】携帯電話機６０を投影機として使用する場合を示す側面図である。
【図８】携帯電話機６０を投影機として使用しない場合で光透過型液晶ディスプレー３２を起こしてその表示面を見る場合を示す側面図である。
【図９】本発明の第３の実施の形態に係る携帯電話機７０を横に寝かした状態の側面図である。
【図１０】携帯電話機７０を投影機として使用する場合を示す側面図である。
【図１１】携帯電話機７０を投影機として使用しない場合で光透過型液晶ディスプレー３２を起こしてその表示面を見る場合を示す側面図である。
【図１２】本発明の他の実施の形態に係る携帯電話機８０を投影機として使用する場合の側面図である。
【図１３】従来の携帯通信端末装置１０を示す斜視図である。
【図１４】図１３の携帯通信端末装置１０を投影機として使用する場合の斜視図である。
【図１５】図１４における携帯通信端末装置１０のＡ−Ａ線断面図である。
【符号の説明】
１０  携帯電話機
１２  液晶表示画面
１４  投影レンズ
１５  アーム
１６  回転軸
１７  光源ランプ
１８  凹面反射鏡
２０  スクリーン
３０  携帯電話機
３２  光透過型液晶ディスプレー
３４  回転軸
３６  光源ランプ
３８  回転軸
４０  アーム
４２  回転軸
４４  拡散板
４８  制御部
５０  反転表示手段
５４  光源ランプ
５６  反射板
６０  携帯電話機
７０  携帯電話機
７４  光源ランプ
【図１】
2004317871.tif 000003
【図２】
2004317871.tif 000004
【図３】
2004317871.tif 000005
【図４】
2004317871.tif 000006
【図５】
2004317871.tif 000007
【図６】
2004317871.tif 000008
【図７】
2004317871.tif 000009
【図８】
2004317871.tif 000010
【図９】
2004317871.tif 000011
【図１０】
2004317871.tif 000012
【図１１】
2004317871.tif 000013
【図１２】
2004317871.tif 000014
【図１３】
2004317871.tif 000015
【図１４】
2004317871.tif 000016
【図１５】
2004317871.tif 000017